【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
患者に少なくとも部分的に移植するための閉塞抵抗性医療用シャントであって、該シャントが、その中を貫通している管腔を有する細長導管と、該シャント中を流れる体液を受容するための近位端部と、及び該シャントから該体液を放出するための遠位端部とを含み、更に、該シャントが、該シャントの管腔が閉塞するのを阻止するために該細長導管から放出される１種以上の閉塞抵抗性材料も含む前記シャント。
【請求項２】
該シャントが、少なくとも一つの弁を更に含む請求項１記載の閉塞抵抗性医療用シャント。
【請求項３】
該細長導管が、ポリ（Ｌ−乳酸）、ポリ（ラクチド−コ−グリコリド）、ポリ（ヒドロキシブチレート−コ−バレレート）、シリコーン、ポリウレタン、ポリエステル、ビニルホモポリマー及びビニルコポリマー、アクリレートホモポリマー及びアクリレートコポリマー、ポリエーテル、ポリエチレン、ポリプロピレン、ポリカーボネート、ポリスルホン、セルロース、ポリジメチルシロキサン、メチルヒドロシロキサン−ジメチルシロキサンコポリマー、ポリメチルヒドロシロキサン、ポリエチルヒドロシロキサン、水素化物を末端基とするポリフェニル−（ジメチルヒドロシロキシ）シロキサン、メチルヒドロシロキサン−フェニルメチルシロキサンコポリマー、Ｎ−ビニルピロリドン／メチルメタクリレートコポリマー、２−ヒドロキシエチルアクリレート（例えばポリマコン）、２−ヒドロキシエチルメタクリレートの様々なコポリマー（例えば、ハフィルコンＡ及びＢ、ビフィルコンＡ、テトラフィルコン、ジメフィルコン、ブフィルコン、ペルフィルコン等）、Ｎ−ビニルピロリドンのコポリマー（例えば、リドフィルコンＡ及びＢ、スカフィルコンＡ、サーフィルコン、ビフィルコン、フィルコンＹＡ等）、ポリアミド、ポリイミド、フルオロポリマー、ポリテトラフルオロエチレン、天然ゴム及びポリイソプレンから成る群より選択される１種以上のエラストマー材料を含む請求項１記載の閉塞抵抗性医療用シャント。
【請求項４】
該閉塞抵抗性材料が、免疫抑制剤、抗炎症剤、抗悪性腫瘍剤、放射線放出材料、血管新生阻害剤、抗凝血剤、増殖抑制剤、抗血栓剤、抗酸化剤、シクロオキシゲナーゼ阻害剤、カルシウム遮断剤、抗悪性腫瘍剤、抗有糸分裂剤、抗微生物剤、酸化窒素ドナー、細胞周期阻害剤、抗癌剤、抗関節炎剤、抗糖尿病剤、トロンビン阻害剤、血栓溶解剤、抗生物質、抗ウイルス剤、及び遺伝子治療剤から成る群より選択される材料を含む請求項１記載の閉塞抵抗性医療用シャント。
【請求項５】
該閉塞抵抗性材料が、β−放射線放出同位体、デキサメタゾン、ベクロメタゾン、コルチゾン、ヒドロコルチゾン、プレドニゾン、メチルプレドニゾン、フルオロメトロン、トラニラスト、ケトプロフェン、クルクミン、シクロスポリンＡ、デオキシスペルグアリン、ＦＫ５０６、スリンダク、ミリオシン、２−アミノクロモン（Ｕー８６９８３）、コルヒチン、ペントサン、アンチセンスオリゴヌクレオチド、ミコフェノール酸、パクリタキセル、エトポシド、アクチノマイシンＤ、カンプトセシン、カルムスチン、メトトレキセート、アドリアマイシン、マイトマイシン、シスプラチナム、有糸分裂阻害剤、ビンカアルカロイド、組織成長因子阻害剤、白金化合物、細胞障害性阻害剤、アルキル化剤、代謝拮抗剤、タクロリムス、ラパマイシン、アザチオプリン、インターロイキンとＴ細胞とＢ細胞と及びレセプターとに対する組換え抗体又はモノクローナル抗体、ビサントレン、レチノイン酸、タモキシフェン、銀を含む化合物、ドキソルビシン、アザシチジン、ホモハリントニン、セレン化合物、スーパーオキシドジスムターゼ、インターフェロン、ヘパリン、ラパマイシンＡＢＴ−５７８、及び前記群の類似体、同族体、誘導体又は組み合わせから成る群より選択される材料を含む請求項４記載の閉塞抵抗性医療用シャント。
【請求項６】
該閉塞抵抗性材料が、該シャント全体に均一に分配される請求項１記載の閉塞抵抗性医療用シャント。
【請求項７】
該閉塞抵抗性材料が、薬剤溶出領域中にのみ分配される請求項１記載の閉塞抵抗性医療用シャント。
【請求項８】
異なる閉塞抵抗性材料が、該シャントの異なる薬剤溶出領域において用いられる請求項７記載の閉塞抵抗性医療用シャント。
【請求項９】
該閉塞抵抗性材料が、１つ以上の薬剤送達デバイス中に分配される請求項１記載の閉塞抵抗性医療用シャント。
【請求項１０】
該薬剤送達デバイスが、球体、布、インサート、溶出プラグ、シード、細長部材及びそれらの組み合わせから成る群より選択される請求項９記載の閉塞抵抗性医療用シャント。
【請求項１１】
該閉塞抵抗性材料が、該シャント全体に不均一に且つ異なる量で分配される請求項１記載の閉塞抵抗性医療用シャント。
【請求項１２】
該閉塞抵抗性材料が、該シャントの異なる部分の間で異なる速度で放出される請求項１１記載の閉塞抵抗性医療用シャント。
【請求項１３】
患者に少なくとも部分的に移植するための閉塞抵抗性医療用カニューレであって、該カニューレが、その中を貫通している管腔を有する細長導管と、該カニューレ中を流れる体液を受容するための近位端部と、及び該カニューレから該体液を放出するための遠位端部とを含み、更に、該カニューレが、該カニューレの管腔の閉塞抵抗性を提供する１つ以上の薬剤送達デバイスから放出される１種以上の閉塞抵抗性材料も含む前記カニューレ。
【請求項１４】
該カニューレが、少なくとも一つの弁を更に含む請求項１３記載の閉塞抵抗性医療用カニューレ。
【請求項１５】
該細長導管が、ポリ（Ｌ−乳酸）、ポリ（ラクチド−コ−グリコリド）、ポリ（ヒドロキシブチレート−コ−バレレート）、シリコーン、ポリウレタン、ポリエステル、ビニルホモポリマー及びビニルコポリマー、アクリレートホモポリマー及びアクリレートコポリマー、ポリエーテル、ポリエチレン、ポリプロピレン、ポリカーボネート、ポリスルホン、セルロース、ポリジメチルシロキサン、メチルヒドロシロキサン−ジメチルシロキサンコポリマー、ポリメチルヒドロシロキサン、ポリエチルヒドロシロキサン、水素化物を末端基とするポリフェニル−（ジメチルヒドロシロキシ）シロキサン、メチルヒドロシロキサン−フェニルメチルシロキサンコポリマー、Ｎ−ビニルピロリドン／メチルメタクリレートコポリマー、２−ヒドロキシエチルアクリレート（例えばポリマコン）、２−ヒドロキシエチルメタクリレートの様々なコポリマー（例えば、ハフィルコンＡ及びＢ、ビフィルコンＡ、テトラフィルコン、ジメフィルコン、ブフィルコン、ペルフィルコン等）、Ｎ−ビニルピロリドンのコポリマー（例えば、リドフィルコンＡ及びＢ、スカフィルコンＡ、サーフィルコン、ビフィルコン、フィルコンＹＡ等）、ポリアミド、ポリイミド、フルオロポリマー、ポリテトラフルオロエチレン、天然ゴム及びポリイソプレンから成る群より選択される１種以上のエラストマー材料を含む請求項１３記載の閉塞抵抗性医療用カニューレ。
【請求項１６】
該閉塞抵抗性材料が、免疫抑制剤、抗炎症剤、抗悪性腫瘍剤、血管新生阻害剤、抗凝血剤、増殖抑制剤、抗血栓剤、抗酸化剤、シクロオキシゲナーゼ阻害剤、カルシウム遮断剤、抗悪性腫瘍剤、抗有糸分裂剤、抗微生物剤、酸化窒素ドナー、細胞周期阻害剤、抗癌剤、抗関節炎剤、抗糖尿病剤、トロンビン阻害剤、血栓溶解剤、抗生物質、抗ウイルス剤、及び遺伝子治療剤から成る群より選択される材料を含む請求項１３記載の閉塞抵抗性医療用カニューレ。
【請求項１７】
該閉塞抵抗性材料が、β−放射線放出同位体、デキサメタゾン、ベクロメタゾン、コルチゾン、ヒドロコルチゾン、プレドニゾン、メチルプレドニゾン、フルオロメトロン、トラニラスト、ケトプロフェン、クルクミン、シクロスポリンＡ、デオキシスペルグアリン、ＦＫ５０６、スリンダク、ミリオシン、２−アミノクロモン（Ｕー８６９８３）、コルヒチン、ペントサン、アンチセンスオリゴヌクレオチド、ミコフェノール酸、パクリタキセル、エトポシド、アクチノマイシンＤ、カンプトセシン、カルムスチン、メトトレキセート、アドリアマイシン、マイトマイシン、シスプラチナム、有糸分裂阻害剤、ビンカアルカロイド、組織成長因子阻害剤、白金化合物、細胞障害性阻害剤、アルキル化剤、代謝拮抗剤、タクロリムス、ラパマイシン、アザチオプリン、インターロイキンとＴ細胞とＢ細胞と及びレセプターとに対する組換え抗体又はモノクローナル抗体、ビサントレン、レチノイン酸、タモキシフェン、銀を含む化合物、ドキソルビシン、アザシチジン、ホモハリントニン、セレン化合物、スーパーオキシドジスムターゼ、インターフェロン、ヘパリン、ラパマイシンＡＢＴ−５７８、及び前記群の類似体、同族体、誘導体又は組み合わせから成る群より選択される材料を含む請求項１６記載の閉塞抵抗性医療用カニューレ。
【請求項１８】
異なる閉塞抵抗性材料が、カニューレ中に含まれる異なる薬剤溶出デバイスにおいて用いられる請求項１３記載の閉塞抵抗性医療用カニューレ。
【請求項１９】
該薬剤送達デバイスが、球体、布、インサート、溶出プラグ、シード、細長部材及びそれらの組み合わせから成る群より選択される請求項１３記載の閉塞抵抗性医療用カニューレ。
【請求項２０】
該閉塞抵抗性材料が、該シャント全体に不均一に且つ異なる量で分配される請求項１３記載の閉塞抵抗性医療用カニューレ。
【請求項２１】
該閉塞抵抗性材料が、該カニューレの異なる薬剤送達デバイスの間で異なる速度で放出される請求項２０記載の閉塞抵抗性医療用カニューレ。
【請求項２２】
以下の工程：すなわち、
その中を貫通している管腔を有し、且つ該シャント中を流れる体液を受容するための近位端部と、及び該シャントから該体液を放出するための遠位端部とを含む細長導管を提供する工程、
該細長導管から放出される１種以上の閉塞抵抗性材料を該シャントに投与して、該シャントの管腔の閉塞を阻止する工程
を含む閉塞抵抗性シャントを作製する方法。  
【請求項２３】
該シャントが、少なくとも一つの弁を更に含む請求項２２記載の閉塞抵抗性シャントを作製する方法。
【請求項２４】
該細長導管が、ポリ（Ｌ−乳酸）、ポリ（ラクチド−コ−グリコリド）、ポリ（ヒドロキシブチレート−コ−バレレート）、シリコーン、ポリウレタン、ポリエステル、ビニルホモポリマー及びビニルコポリマー、アクリレートホモポリマー及びアクリレートコポリマー、ポリエーテル、ポリエチレン、ポリプロピレン、ポリカーボネート、ポリスルホン、セルロース、ポリジメチルシロキサン、メチルヒドロシロキサン−ジメチルシロキサンコポリマー、ポリメチルヒドロシロキサン、ポリエチルヒドロシロキサン、水素化物を末端基とするポリフェニル−（ジメチルヒドロシロキシ）シロキサン、メチルヒドロシロキサン−フェニルメチルシロキサンコポリマー、Ｎ−ビニルピロリドン／メチルメタクリレートコポリマー、２−ヒドロキシエチルアクリレート（例えばポリマコン）、２−ヒドロキシエチルメタクリレートの様々なコポリマー（例えば、ハフィルコンＡ及びＢ、ビフィルコンＡ、テトラフィルコン、ジメフィルコン、ブフィルコン、ペルフィルコン等）、Ｎ−ビニルピロリドンのコポリマー（例えば、リドフィルコンＡ及びＢ、スカフィルコンＡ、サーフィルコン、ビフィルコン、フィルコンＹＡ等）、ポリアミド、ポリイミド、フルオロポリマー、ポリテトラフルオロエチレン、天然ゴム及びポリイソプレンから成る群より選択される１種以上のエラストマー材料を含む請求項２２記載の閉塞抵抗性シャントを作製する方法。
【請求項２５】
該閉塞抵抗性材料が、免疫抑制剤、抗炎症剤、抗悪性腫瘍剤、血管新生阻害剤、抗凝血剤、増殖抑制剤、抗血栓剤、抗酸化剤、シクロオキシゲナーゼ阻害剤、カルシウム遮断剤、抗悪性腫瘍剤、抗有糸分裂剤、抗微生物剤、酸化窒素ドナー、細胞周期阻害剤、抗癌剤、抗関節炎剤、抗糖尿病剤、トロンビン阻害剤、血栓溶解剤、抗生物質、抗ウイルス剤、及び遺伝子治療剤から成る群より選択される材料を含む請求項２２記載の閉塞抵抗性シャントを作製する方法。
【請求項２６】
該閉塞抵抗性材料が、β−放射線放出同位体、デキサメタゾン、ベクロメタゾン、コルチゾン、ヒドロコルチゾン、プレドニゾン、メチルプレドニゾン、フルオロメトロン、トラニラスト、ケトプロフェン、クルクミン、シクロスポリンＡ、デオキシスペルグアリン、ＦＫ５０６、スリンダク、ミリオシン、２−アミノクロモン（Ｕー８６９８３）、コルヒチン、ペントサン、アンチセンスオリゴヌクレオチド、ミコフェノール酸、パクリタキセル、エトポシド、アクチノマイシンＤ、カンプトセシン、カルムスチン、メトトレキセート、アドリアマイシン、マイトマイシン、シスプラチナム、有糸分裂阻害剤、ビンカアルカロイド、組織成長因子阻害剤、白金化合物、細胞障害性阻害剤、アルキル化剤、代謝拮抗剤、タクロリムス、ラパマイシン、アザチオプリン、インターロイキンとＴ細胞とＢ細胞と及びレセプターとに対する組換え抗体又はモノクローナル抗体、ビサントレン、レチノイン酸、タモキシフェン、銀を含む化合物、ドキソルビシン、アザシチジン、ホモハリントニン、セレン化合物、スーパーオキシドジスムターゼ、インターフェロン、ヘパリン、ラパマイシンＡＢＴ−５７８、及び前記群の類似体、同族体、誘導体又は組み合わせから成る群より選択される材料を含む請求項２５記載の閉塞抵抗性シャントを作製する方法。
【請求項２７】
該閉塞抵抗性材料が、該シャント全体に均一に分配される請求項２２記載の閉塞抵抗性シャントを作製する方法。
【請求項２８】
該閉塞抵抗性材料が、薬剤溶出領域中にのみ分配される請求項２２記載の閉塞抵抗性シャントを作製する方法。
【請求項２９】
該薬剤溶出領域が、該近位部分、該遠位部分、及び一つ以上の弁から成る群より選択される請求項２２記載の閉塞抵抗性シャントを作製する方法。
【請求項３０】
異なる閉塞抵抗性材料が、該シャントの異なる薬剤溶出領域において用いられる請求項２９記載の閉塞抵抗性シャントを作製する方法。
【請求項３１】
該閉塞抵抗性材料が、１つ以上の薬剤送達デバイス中に分配される請求項２２記載の閉塞抵抗性シャントを作製する方法。
【請求項３２】
該薬剤送達デバイスが、球体、布、インサート、溶出プラグ、シード、細長部材及びそれらの組み合わせから成る群より選択される請求項３１記載の閉塞抵抗性シャントを作製する方法。
【請求項３３】
該閉塞抵抗性材料が、該シャント全体に不均一に且つ異なる量で分配される請求項２２記載の閉塞抵抗性シャントを作製する方法。
【請求項３４】
該閉塞抵抗性材料が、該シャントの異なる部分の間で異なる速度で放出される請求項３３記載の閉塞抵抗性シャントを作製する方法。